(57)【要約】  【課題】奥行寸法の異なる家具を複数種類取り揃えてシリーズ化するような場合において、寸法の異なる複数種類の脚羽根を用意することによる金型の増加等に伴う製造上の手間やコストアップといった課題を解消する。  【解決手段】家具本体である天板１と、この天板１を支持する脚体２とを具備してなり、前記脚体２が、前記天板１を担持するコア部６と、このコア部６とは別体をなし基端側が前記コア部６の起立した外側端面６ａに取着された脚羽根７とを備える構成を採用する。【選択図】図５
2019072374.tif 000002
【特許請求の範囲】
【請求項１】
家具本体と、この家具本体を支持する脚体とを具備してなり、
前記脚体が、前記家具本体を担持するコア部と、このコア部とは別体をなし基端側が前記コア部の起立した外側端面に取着された脚羽根とを備えたものである家具。
【請求項２】
前記家具本体が、天板を備えたものであり、前記脚体が前記天板を支持するものである請求項１記載の家具。
【請求項３】
前記コア部が、汎用部材を用いて作られた構造体であり、前記脚羽根が、成形体である請求項１又は２記載の家具。
【請求項４】
前記コア部が、壁体状のものであり、そのコア部の少なくとも一端に前記脚羽根が設けられている請求項１、２又は３記載の家具。
【請求項５】
前記コア部の両端に前記脚羽根がそれぞれ設けられており、前記両脚羽根の先端側及び前記コア部に高さ調節可能な接地体がそれぞれ設けられている請求項４記載の家具。
【請求項６】
前記コア部が、角柱状のものであり、そのコア部の角部分に前記脚羽根がそれぞれ設けられている請求項１、２又は３記載の家具。
【発明の詳細な説明】
【技術分野】
【０００１】
本発明は、会議テーブルや各種デスク等、脚羽根付の脚体を備えた家具に関する。
【背景技術】
【０００２】
従来、この種の家具として、天板を脚羽根付の脚体により支持してなるものが知られている（例えば、非特許文献１参照）。
【０００３】
ところで、従来の脚羽根を有する脚体は、脚羽根上に天板を担持する脚支柱や側板等を立設したものや、脚羽根と脚支柱等とを一体に構成したものが一般的である。
【０００４】
そのため、奥行寸法の異なる家具を複数種類取り揃えてシリーズ化するような場合には、各仕様に適合した寸法をなす脚羽根、或いは、脚羽根と支柱との一体品を複数種類用意しなければならない。
【０００５】
ところが、脚羽根は使用者の視線に晒され易いため、強化プラスチックやアルミダイキャスト等の成形品が使われることが多く、寸法の異なる複数種類の脚羽根を用意することは金型が増加する等、製造上のコストアップを招き易い。
【０００６】
かかる課題は、必ずしも天板を有する家具に限らず、脚羽根付の脚体を有する家具全般に存在するものである（第１の課題）。
【０００７】
また、特に天板を脚羽根付の脚体により支持してなるテーブルやデスク等の家具においては、天板奥行寸法の異なる仕様毎に脚羽根の寸法が異なるため、下肢空間が仕様毎に違ったものとなり、違和感を抱く使用者も少なくない（第２の課題）。
【先行技術文献】
【非特許文献】
【０００８】
【非特許文献１】コクヨ総合カタログ２０１７年版ファニチャー編，コクヨ株式会社，平成２８年１２月，ｐ．３４５
【発明の概要】
【発明が解決しようとする課題】
【０００９】
本発明は、このような事情に着目してなされたもので、請求項１に係る発明は、少なくとも前述した第１の課題を解消することを目的としている。
【００１０】
また、請求項２に係る発明は、前記第１の課題の解消に加え、前記第２の課題をも解消することを目的としている。
【課題を解決するための手段】
【００１１】
請求項１記載の発明に係る家具は、家具本体と、この家具本体を支持する脚体とを具備してなり、前記脚体が、前記家具本体を担持するコア部と、このコア部とは別体をなし基端側が前記コア部の起立した外側端面に取着された脚羽根とを備えたものである。
【００１２】
請求項２記載の発明に係る家具は、請求項１記載の構成のものにおいて、前記家具本体が、天板を備えたものであり、前記脚体が前記天板を支持するものである。
【００１３】
請求項３記載の発明に係る家具は、請求項１又は２記載の構成のものにおいて、前記コア部が、汎用部材を用いて作られた構造体であり、前記脚羽根が、成形体であるものである。なお、本発明において、「成形体」とは、型や特殊な治具を用いて形成したものを示す概念である。
【００１４】
請求項４記載の発明に係る家具は、請求項１、２又は３記載の構成のものにおいて、前記コア部が、壁体状のものであり、そのコア部の少なくとも一端に前記脚羽根が設けられているものである。
【００１５】
請求項５記載の発明に係る家具は、請求項４記載の構成のものにおいて、前記コア部の両端に前記脚羽根がそれぞれ設けられており、前記両脚羽根の先端側及び前記コア部に高さ調節可能な接地体がそれぞれ設けられているものである。
【００１６】
請求項６記載の発明に係る家具は、請求項１、２又は３記載の構成のものにおいて、前記コア部が、角柱状のものであり、そのコア部の角部分に前記脚羽根がそれぞれ設けられているものである。
【発明の効果】
【００１７】
請求項１に係る発明によれば、奥行寸法の異なる家具を複数種類取り揃えてシリーズ化するような場合において、奥行寸法の異なる種々の脚体に対して共通の脚羽根を使用でき、当該脚羽根を成形するための金型は一種類のもので対応することができる。従って、前記第１の課題、すなわち寸法の異なる複数種類の脚羽根を用意することによる金型の増加等に伴う製造上の手間やコストアップといった課題を解消できる。
【００１８】
また、請求項２に係る発明によれば、天板の奥行寸法を異ならせつつ、共通の脚羽根を使用できることから、前記第１の課題を解消できるだけでなく、前記第２の課題、すなわち天板の奥行寸法に対応させて脚羽根の寸法が異ならせることにより生じる、下肢空間が仕様毎に違ったものとなり、少なくない使用者に違和感を抱かせるという課題も解消できる。
【図面の簡単な説明】
【００１９】
【図１】本発明の第一実施形態に係るテーブルを示す斜視図。
【図２】同実施形態に係るテーブルを示す部分斜視図。
【図３】同実施形態に係るテーブルの脚体を示す斜視図。
【図４】同実施形態に係るテーブルの脚体を示す分解斜視図。
【図５】同実施形態に係るテーブルの脚体の要部を示す図。
【図６】同実施形態に係るテーブルの脚体の接地状態を示す作用説明図。
【図７】同実施形態に係るテーブルの脚体の接地状態を示す作用説明図。
【図８】同実施形態に係るテーブルの脚体の接地状態を示す作用説明図。
【図９】同実施形態に係るテーブルの脚体の接地状態を示す作用説明図。
【図１０】本発明の第二実施形態に係るテーブルを示す斜視図。
【図１１】本発明の第三実施形態に係るテーブルを示す斜視図。
【図１２】本発明の第四実施形態に係るテーブルを示す斜視図。
【図１３】本発明の第五実施形態に係るテーブルを示す斜視図。
【図１４】同実施形態に係るテーブルの脚体の要部を示す図。
【図１５】本発明の第六実施形態に係るテーブルを示す斜視図。
【図１６】同実施形態に係るテーブルの脚体の要部を示す図。
【発明を実施するための形態】
【００２０】
本発明の実施形態を、図面を参照しつつ以下に示す。
＜第一実施形態＞（図１〜図９）
本実施形態は、本発明を家具であるテーブルＴ１に適用したものであり、図１は、前記テーブルＴ１の斜視図、図２は、同テーブルＴ１を下側から観察した部分斜視図である。図３は、同テーブルＴ１の脚体２を示す斜視図、図４は、同脚体２の分解斜視図、図５の（ａ）は、同脚体２の底面図、図５の（ｂ）は、図５の（ａ）におけるＡ−Ａ線に対応する部分断面図である。図６〜図９は、脚体２の接地状態を示す作用説明図である。
【００２１】
詳述すれば、このテーブルＴ１は、家具本体である天板１と、この天板１を支持する脚体２とを具備してなる。
【００２２】
前記天板１は、図２に示すように、天板本体３と、前記天板本体３を下面側から支持する支持フレーム４とを備えたものであり、この天板本体３の長手方向両端部を本発明に係る脚体２により支持するとともに、長手方向中央部を中間脚体５により支持している。前記天板本体３は、平板状のもので、奥行方向両端を使用端としている。前記支持フレーム４は、図２に示すように、天板本体３の使用端に沿って長手方向に延びる対をなす縦フレーム部材４１と、これら縦フレーム部材４１の長手方向両端部同士を連結する第１の横フレーム部材４２と、前記縦フレーム部材４１の長手方向中央部同士を連結する第２の横フレーム部材４３とを備えている。そして、前記各第１の横フレーム部材４２の下側に前記脚体２を配しているとともに、前記第２の横フレーム部材４３の下側に前記中間脚体５を配している。
【００２３】
前記脚体２は、図１〜図３及び図５に示すように、前記天板１を担持するコア部６と、このコア部６とは別体をなし基端側が前記コア部６の起立した外側端面６ａに取着された脚羽根７とを備えたものである。
【００２４】
前記コア部６は、汎用部材を用いて作られた壁体状をなす構造体である。具体的には、このコア部６は、図２及び図４に示すように、平行に起立した対をなす縦パイプ６１と、これら縦パイプ６１の下端近傍部同士を結合する横パイプ６２と、これら縦パイプ６１及び横パイプ６２を隠蔽するカバー６３とを具備してなる。前記縦パイプ６１は、汎用部品である角型パイプ部材を所定の長さに切断したもので、その上端部及び下端部に上下のナット６１１、６１２が溶接等によりそれぞれ固設されている。前記横パイプ６２は、汎用部品である角型パイプ部材を所定の長さに切断した上で、その両端に取付用のフランジ６２１を溶接等により固設したものであり、このフランジ６２１及び前記縦パイプ６１にネジ挿通孔６２１ｘ、６１ｘがそれぞれ設けられている。そして、これらのネジ挿通孔６２１ｘ、６１ｘに内側から挿通したネジｖ２を前記脚羽根７の基端部に形成された雌ネジ孔７ｘに螺着している。また、このコア部６の縦パイプ６１の上端に設けた前記上のナット６１１に螺着されるネジｖ１により、この縦パイプ６１の上端にブラケット６４と前記横フレーム部材４２とが共締め固定されている。このブラケット６４の両端部にはネジ挿通孔６４ｘが設けられており、このネジ挿通孔６４ｘに下側から挿通させた図示しないネジを天板本体３の図示しない埋設ナットに螺着することにより当該コア部６と前記天板本体３とが接続されている。加えて、前記両縦パイプ６１の下端部外面すなわち当該コア部６の起立した外側端面６ａには、前記脚羽根７を取り付けるための嵌合孔６１ｙが穿設されている。一方、前記カバー６３は、汎用部材である板金素材を所定の形態に打ち抜くとともに両側縁を折り曲げ加工することにより作られたものである。
【００２５】
前記脚羽根７は、金型を用いて成形された成形体、具体的には、例えばアルミダイキャスト製のものであり、図４及び図５に示すように、基端部７ａに前記コア部６の外側端面６ａにスペーサ７０を介して当接する平坦面７１とこの平坦面７１の所定部位に突設され前記スペーサ７０を貫通して前記コア部６の嵌合孔６１ｙに嵌合する位置決め突起７２とを備えている。この脚羽根７は、前記基端部７ａから片持ち的に外方に延出する形態をなすもので、その延出端部すなわち先端部７ｂの下面に接地体取り付け用の雌ネジ孔７ｙが形成されている。符号７３は、前記縦パイプ６１の外側面を被覆する化粧板であり、この化粧板７３の外面７３ａと前記脚羽根７の基端部７ａの外面７ａ１とは連続した形態をなしている。
【００２６】
前記中間脚体５は、以上説明した脚体２から脚羽根７を取り除いた構造をなすものであり、コア部６の両端には前記化粧板７３及び脚羽根７に代えて別の化粧板６９が装着されている。
【００２７】
以上説明した脚体２の両脚羽根７の先端側に高さ調節可能な第１の接地体８がそれぞれ設けられているとともに、前記コア部６の縦パイプ６１の下端部に高さ調節可能な第２の接地体９がそれぞれ設けられている。図５の（ａ）に示すように、これら第１及び第２の接地体８、９はその中心が共通の仮想直線Ｌ０上又はその近傍に位置するように略直列に配されている。具体的には、各接地体８、９は、外周にグリップ部を有する円盤状の接地体本体８１、９１と、この接地体本体８１、９１の中心部から上方に延出するネジ棒８２、９２とを備えたもので、第１の接地体８のネジ棒８２は各脚羽根７の先端部７ｂの下面に設けられた前記雌ネジ孔７ｙに螺合進退可能に螺着されているとともに、第２の接地体９のネジ棒９２は各コア部６の縦パイプ６１の下端部に設けられた前記下のナット６１２に螺合進退可能に螺着されている。
【００２８】
前記第１及び第２の接地体８、９の高さ調整範囲は、第１の接地体８が床面Ｆに接地するとともに第２の接地体９が床面Ｆから離間している状態から、第１の接地体８が床面Ｆから離間し第２の接地体９が床面Ｆに接地する状態をとり得るような値に設定されている。従って、この設定によれば、全ての接地体８、９が床面Ｆに接地する態様もとることができる。また、前記第１の接地体８が主に床面Ｆに接地するとともに、前記第２の接地体９が前記脚羽根７のたわみに起因して床面Ｆに比較的軽く接地する態様や、前記第１の接地体８が床面Ｆに接地するとともに、前記第２の接地体９が床面Ｆから浮き上がる態様も採ることができる。
【００２９】
このような構成のものであれば、脚羽根７をそのまま使用し、コア部６を寸法形状の異なったものにするだけで、異なった形態の脚体２を実現することができる。よって、脚羽根７という主要な構成部品の共通化を図りつつ、種々の仕様に対応することができる。すなわち、前記コア部６は汎用部材である角型パイプ部材を主体として構成された構造体であるため、奥行寸法の異なるものを比較的容易に取りそろえることができる。一方、前記脚羽根７は、奥行寸法の異なる種々の脚体２に対して同じものを用いることができ、当該脚羽根７を成形するための金型は一種類のもので対応することができる。従って、多種類の脚体２を比較的容易に製造することが可能となる。換言すれば、成形体である脚羽根７を変更するには新たな型が必要になるが、汎用部材を用いて作られるコア部６は、比較的容易に種々の形状寸法のものを製作することができる。そのため、全体としては形状や寸法の異なる種々の脚体２を複数の型を用意することなく製作することができる。
【００３０】
また、天板１の奥行寸法に対応させて種々の寸法形状の脚体２を実現しても、脚羽根７を共通に使用することができるため、外観のイメージを統一することができる上に、使用端側における下肢空間も共通化される。換言すれば、天板１の奥行寸法に関わらず使用者と脚体２のコア部６との距離を一定に保つことができる
さらに、前記脚体２に、対をなす第１の接地体８と、これら第１の接地体間８に位置する少なくとも１つの第２の接地体９とが略直列に設けられており、前記第１の接地体８と前記第２の接地体９とを高さ調節可能なものにしているので、これら接地体８、９の高さを調節することにより、床面Ｆの多様な不陸に対応することができるとともに、荷重を分散して床面Ｆに加える設定や、荷重を特定の接地体を介して集中的に床面Ｆに加える設定を自在に選択することができる。
【００３１】
加えて、前記第１の接地体８が主に床面Ｆに接地するとともに、前記第２の接地体９が前記脚羽根７のたわみに起因して床面Ｆに比較的軽く接地する態様を採れるように前記接地体８、９の高さ調整範囲が設定されているので、脚羽根７に作用する曲げ応力を軽減することができ、当該脚羽根７を可及的に細く軽量なものにすることができる。すなわち、荷重がかからない状態では図６に示すように、第１の接地体８の高さ位置を第２の接地体９の高さ位置よりも脚羽根７のたわみを考慮した所定微小距離ｄだけ低く設定しておき、当該脚体２を床面Ｆに荷重をかけた状態で設置させた場合に、図７に示すように、第１の接地体８が床面Ｆに接地するとともに、前記脚羽根７の撓みにより第２の接地体９も床面Ｆに軽く設置するような設定も可能になる。このようにしておけば、脚羽根７に作用する曲げ応力を軽減することができ、脚羽根７を頑丈なものにする必要性を軽減することができる。
【００３２】
なお、脚羽根７の軽量化を最重要視しない場合や、家具（テーブルＴ１）自体の重量が過大でない場合には、図８に示すように、前記第１の接地体８が床面Ｆに接地するとともに、前記第２の接地体９が床面Ｆから浮き上がる態様を採ることももちろん可能である。この態様では、最も遠い第１の接地体８のみにより荷重を集中的に床面に作用させることができるため、安定した設置が可能となる。
【００３３】
さらに、図９に示すように、家具（テーブルＴ１）を設置したままで脚羽根７を取り換える必要が生じた場合等に備えて第２の接地体９のみを接地させ、第１の接地体８が床面Ｆから離間した状態にすることもできる。
＜第二実施形態＞（図１０）
本実施形態の家具であるテーブルＴ２は、図１０に示すように、天板１と、前記天板１の長手方向一端側を支持するサイドユニットＳ２と、前記天板１の長手方向他端側を支持する脚体２と、前記天板１の長手方向中央部を支持する中間脚体５とを具備してなるものであり、第一実施形態と同一又は相当する部分には同一の符号を付して説明を省略する。
【００３４】
前記サイドユニットＳ２は、扉Ｓ２１の内部に図示しない機器類収納空間等を備えたもので、その上壁Ｓ２２上に天板１の一端部を配している。
＜第三実施形態＞（図１１）
本実施形態の家具であるテーブルＴ３は、図１１に示すように、天板１と、前記天板１の長手方向一端側を支持するサイドユニットＳ３と、前記天板１の長手方向他端側を支持する脚体２と、前記天板１の長手方向中央部を支持する中間脚体５とを具備してなるものであり、第一実施形態と同一又は相当する部分には同一の符号を付して説明を省略する。
【００３５】
前記サイドユニットＳ３は、前述した第二実施形態のサイドユニットＳ２に準じた構成をなすユニット本体Ｓ３Ａと、このユニット本体Ｓ３Ａの上部に設けられ、前記天板１の一端部を上から覆う上棚部Ｓ３Ｂとを備えたものであり、前記天板１の一端部を前記ユニット本体Ｓ３Ａの上壁Ｓ３２と前記上棚部Ｓ３Ｂとの間に配している。
＜第四実施形態＞（図１２）
本実施形態の家具であるテーブルＴ４は、図１２に示すように、天板１と、前述した第二実施形態のサイドユニットＳ２に準じた構成をなすユニット本体Ｓ４Ａ及びこのユニット本体Ｓ４Ａの後方及び側方に配され該ユニット本体Ｓ４Ａの後半部、及びその上方の空間の側方及び後方を覆うパネルＳ４Ｐを備えたサイドユニットＳ４と、前記天板１の他端側を支持する脚体２とを具備してなるものであり、第一実施形態と同一又は相当する部分には同一の符号を付して説明を省略する。
【００３６】
前記サイドユニットＳ４のユニット本体Ｓ４Ａは、扉Ｓ４１の内部に図示しない機器類収納空間等を備えたもので、その上壁Ｓ４２上に天板１の一端部を配している。
＜第五実施形態＞（図１３〜図１４）
本実施形態は、本発明を家具である円形テーブルＴ５に適用したものであり、図１３は、前記円形テーブルＴ５の斜視図、図１４の（ａ）は、同円形テーブルＴ５の底面図、図１４の（ｂ）は、図１４の（ａ）におけるＢ−Ｂ線に対応する部分断面図である。
【００３７】
詳述すれば、この円形テーブルＴ５は、図１３及び図１４に示すように、家具本体である円形の天板１と、この天板１を支持する脚体２とを具備してなる。
【００３８】
前記脚体２は、図１３及び図１４に示すように、前記天板を担持するコア部６と、このコア部６とは別体をなし基端側が前記コア部６の起立した外側端面６ａに取着された４本の脚羽根７とを備えたものである。
【００３９】
前記コア部６は、角柱状、具体的には四角柱状のもので、図１４に示すように、４本の縦パイプ６１と、これら縦パイプの下端部間を連結する横パイプ６２と、これら縦パイプ６１及び横パイプ６２を隠蔽するカバー６３とを具備してなる。前記縦パイプ６１及び前記横パイプ６２は、汎用部材である角型パイプ部材を所定の長さに切断したもので、縦パイプ６１が４本ある点と横パイプ６２が角型パイプ部材を十字に交差させて溶接等により剛結した点を除き、前記第一実施形態のコア部６に準じた構成をなしている。そのため、第一実施形態と同一又は相当する部位には同一の符号を付して詳細な説明を省略する。
【００４０】
前記脚羽根７は、図１３及び図１４に示すように、前記コア部６の角部分にそれぞれ設けられており、前記第一ないし第四実施形態の脚羽根と全く同じ構成を有するものである。
【００４１】
前記各脚羽根７の先端部７ｂには高さ調節可能な第１の接地体８が設けられており、前記コア部６の下面における角部には高さ調節可能な第２の接地体９が設けられている。そして、対向する２本の脚羽根７の先端間に想定した仮想直線Ｌ１に沿って前記第１、第２の接地体８、９が直列に配されている。
＜第六実施形態＞（図１５〜図１６）
本実施形態は、本発明を家具である机Ｄに適用したものであり、図１５は、前記机Ｄの斜視図、図１６の（ａ）は、同机Ｄの底面図、図１６の（ｂ）は、図１６の（ａ）におけるＣ−Ｃ線に対応する部分断面図である。
【００４２】
詳述すれば、この机Ｄは、図１５及び図１６に示すように、家具本体である天板１と、この天板を支持する脚体２とを具備してなる。
【００４３】
前記天板１は、図１５及び図１６に示すように、奥行方向一端のみを使用端とする長方形状のもので、長手方向両端部が前記脚体２により支持されている。また、前記天板１の反使用端の下方には幕板Ｍが配されている。
【００４４】
前記脚体２は、図１５及び図１６に示すように、前記天板１を担持するコア部６と、このコア部６とは別体をなし基端側が前記コア部６の起立した外側端面６ａに取着された脚羽根７とを備えたものである。
【００４５】
前記コア部６は、壁体状のもので、図１６に示すように、一方の起立した外側端面６ａにのみ前記脚羽根７が取り付けられている。このコア部６の基本的な構成は、第一実施形態の脚体２のコア部６に準じたものであり、同一又は相当する部分には同一の符号を付して説明を省略する。
【００４６】
前記脚羽根７は、前記第一ないし第五実施形態の脚羽根７と全く同一のものである。
【００４７】
また、図１６に示すように、前記各脚羽根７の先端部７ｂには高さ調節可能な第１の接地体８が設けられており、前記コア部６の下面における両端部には高さ調節可能な第２の接地体９が設けられている。そして、これら第１及び第２の接地体８、９はその中心が共通の仮想直線Ｌ２上又はその近傍に位置するように略直列に配されている。
【００４８】
これら第二ないし第六実施形態の構成であっても、脚体２が、天板１を担持するコア部６と、このコア部６とは別体をなし基端側が前記コア部６の起立した外側端面６ａに取着された脚羽根７とを備えたものであるので、本発明の最も主要な効果、すなわち、第一実施形態のものと共通の脚羽根７をそのまま使用し、コア部６を寸法形状の異なったものにするだけで、異なった形態の脚体２を実現することができ、脚羽根７という主要な構成部品の共通化を図りつつ、種々の仕様に対応することができるという効果を得ることができる。さらに、脚羽根７を共通に使用することができることから、外観のイメージを統一することができる上に、使用端側における下肢空間も共通化される、すなわち天板１の形状に関わらず使用者と脚体２のコア部６との距離を一定に保つことができるという効果も得ることができる。
【００４９】
なお、本発明は、天板付き家具に限らず、Ｔ字脚またはそれに準じた脚体を有する家具全般に適用が可能である。
【００５０】
また、コア部の構成は任意のものであってもよく、前記脚羽根が成形体である必要もない。但し、上述した各実施形態のように、コア部が汎用部材を用いて作られた構造体であるとともに、前記脚羽根が成形体であれば、前述したように、汎用部材により比較的容易に種々の形状寸法のコア部を製作することができる一方、脚羽根を共通に使用することにより脚羽根を形成するための金型を一種類のもので対応させることができるので、形状や寸法の異なる種々の脚体を複数の型を用意することなく製作することができる。
【００５１】
さらに、前記コア部が、壁体状のものである必要はなく、種々の形状のコア部を採用できる。
【００５２】
加えて、脚羽根の設置態様も、基端側がコア部の起立した外側端面に取着されているものであれば、その設置箇所等は任意のものであってもよい。但し、前述した第一ないし第四実施形態のように、前記コア部の両端に前記脚羽根がそれぞれ設けられており、前記両脚羽根の先端側及び前記コア部に高さ調節可能な接地体がそれぞれ設けられているものであれば、前述したように、接地体の高さを調節することにより、床面の多様な不陸に対応することができるとともに、荷重を分散して床面に加える設定や、荷重を特定の接地体を介して集中的に床面に加える設定を自在に選択することができる。
【００５３】
その他、本発明の趣旨を損ねない範囲で種々に変形してよい。
【符号の説明】
【００５４】
Ｔ１〜Ｔ５、Ｄ…家具（テーブル、机）
１…家具本体（天板）
２…脚体
６…コア部
６ａ…コア部の外側端面
７…脚羽根
７ａ…脚羽根の基端部
７ｂ…脚羽根の先端部
【図１】
2019072374.tif 000003
【図２】
2019072374.tif 000004
【図３】
2019072374.tif 000005
【図４】
2019072374.tif 000006
【図５】
2019072374.tif 000007
【図６】
2019072374.tif 000008
【図７】
2019072374.tif 000009
【図８】
2019072374.tif 000010
【図９】
2019072374.tif 000011
【図１０】
2019072374.tif 000012
【図１１】
2019072374.tif 000013
【図１２】
2019072374.tif 000014
【図１３】
2019072374.tif 000015
【図１４】
2019072374.tif 000016
【図１５】
2019072374.tif 000017
【図１６】
2019072374.tif 000018